(57)【要約】【課題】人工芝カーペット上に天然芝生を良好に育成できる芝生植栽構造を提供する。【解決手段】既設舗装路面１上に設けられ保水性を有する緩衝材層２と、緩衝材層２上に敷かれた人工芝カーペット３と、人工芝カーペット３上に設けられ天然芝生４を育成させるための培地層５とを備え、人工芝カーペット３には、水を通すと共に天然芝生４の根を緩衝材層２に通すための根張り穴１５が形成されたものである。【選択図】図１
2019078067.tif 000002
【特許請求の範囲】
【請求項１】
既設舗装路面上に設けられ保水性を有する緩衝材層と、
前記緩衝材層上に敷かれた人工芝カーペットと、
前記人工芝カーペット上に設けられ天然芝生を育成させるための培地層と
を備え、
前記人工芝カーペットには、水を通すと共に天然芝生の根を前記緩衝材層に通すための根張り穴が形成されたことを特徴とする芝生植栽構造。
【請求項２】
前記根張り穴は、円形に形成されると共に直径を２ｍｍ以上８ｍｍ以下に設定され、或いは非円形に形成されると共に最も幅狭部分の幅の大きさを２ｍｍ以上、８ｍｍ以下に設定されたことを特徴とする請求項１に記載の芝生植栽構造。
【請求項３】
前記根張り穴の密度は、１００個／ｍ2以上１１０，０００個／ｍ2以下に設定されたことを特徴とする請求項１又は２に記載の芝生植栽構造。
【請求項４】
前記緩衝材層は、発泡樹脂シートにて形成されたことを特徴とする請求項１から３のいずれか一項に記載の芝生植栽構造。
【請求項５】
前記発泡樹脂シートの上面には、過多の水を流すための溝が形成されたことを特徴とする請求項４に記載の芝生植栽構造。
【請求項６】
前記人工芝カーペットのパイル密度は、２，０００株／ｍ2以上１０，０００株／ｍ2以下に設定されたことを特徴とする請求項１から５のいずれか一項に記載の芝生植栽構造。
【請求項７】
前記人工芝カーペットの外周には、前記培地層を保持するための外枠が設けられ、前記外枠の上面、隅部及び外周面には、使用者を保護するための高密度人工芝カーペットが貼り付けられたことを特徴とする請求項１から６のいずれか一項に記載の芝生植栽構造。
【請求項８】
前記人工芝カーペットのパイル長さは、前記培地層の厚さより５ｍｍ以上３０ｍｍ以下長くなるように設定された
ことを特徴とする請求項１から７のいずれか一項に記載の芝生植栽構造。
【発明の詳細な説明】
【技術分野】
【０００１】
本発明は芝生の植栽構造に関する。
【背景技術】
【０００２】
駐車場等の既設舗装路面上にフットサルコート等を設置する場合、一般に既設舗装路面上に人工芝カーペットを敷設し、その人工芝カーペット上にフットサルコート等を形成している。この方法によれば、短い工期でフットサルコート等を設置できる。
【先行技術文献】
【特許文献】
【０００３】
【特許文献１】特開２０１５−１１１６号公報
【発明の概要】
【発明が解決しようとする課題】
【０００４】
しかしながら、人工芝コートは、夏場に非常に高温となり、炎天下での使用は困難である。また、人工芝コートでは、天然芝コートよりも使用者が足の関節等を傷めやすい傾向にある。
【０００５】
一方、天然芝コートは夏場でも温度の上昇が抑えられ、使用者の足にも優しいが、舗装路面を構成するアスファルト等を剥がして芝生用の環境を整えなくてはならない。
【０００６】
また、人工芝カーペットを敷き、この上に天然芝生を育成させるアイデアも提案されているが、一般に天然芝生を良好に育成するには至っていない。
【０００７】
そこで本発明は、かかる事情に鑑みて創案され、その目的は、人工芝カーペット上に天然芝生を良好に育成できる芝生植栽構造を提供することにある。
【課題を解決するための手段】
【０００８】
本発明の一の態様によれば、
既設舗装路面上に設けられ保水性を有する緩衝材層と、
前記緩衝材層上に敷かれた人工芝カーペットと、
前記人工芝カーペット上に設けられ天然芝生を育成させるための培地層と
を備え、
前記人工芝カーペットには、水を通すと共に天然芝生の根を前記緩衝材層に通すための根張り穴が形成されたことを特徴とする芝生植栽構造が提供される。
【０００９】
好ましくは、前記根張り穴は、円形に形成されると共に直径を２ｍｍ以上８ｍｍ以下に設定され、或いは非円形に形成されると共に最も幅狭部分の幅の大きさを２ｍｍ以上、８ｍｍ以下に設定されるとよい。
【００１０】
好ましくは、前記根張り穴の密度は、１００個／ｍ2以上１１０，０００個／ｍ2以下に設定されるとよい。
【００１１】
好ましくは、前記緩衝材層は、発泡樹脂シートにて形成されるとよい。
【００１２】
好ましくは、前記発泡樹脂シートの上下面には、過多の水を流すための溝が形成されるとよい。
【００１３】
好ましくは、前記人工芝カーペットのパイル密度は、２，０００株／ｍ2以上１０，０００株／ｍ2以下に設定されるとよい。
【００１４】
好ましくは、前記人工芝カーペットの外周には、前記培地層を保持するための外枠が設けられ、前記外枠の上面、隅部及び外周面には、使用者を保護するための高密度人工芝カーペットが貼り付けられるとよい。
【００１５】
好ましくは、前記人工芝カーペットのパイル長さは、前記培地層の厚さより５ｍｍ以上３０ｍｍ以下長くなるように設定されるとよい。
【発明の効果】
【００１６】
本発明によれば、人工芝カーペット上に天然芝生を良好に育成できる。
【図面の簡単な説明】
【００１７】
【図１】本発明の一実施の形態に係る芝生植栽構造を示す正面断面図である。
【図２】人工芝カーペットの正面断面図である。
【図３】人工芝カーペットの底面図である。
【図４】発泡樹脂シートを斜め上方から視た斜視図である。
【発明を実施するための形態】
【００１８】
以下、添付図面を参照して本発明の実施形態を説明する。なお、後述する実施の形態における前後左右上下の各方向は、説明の便宜のためのものであり、芝生上に形成されるコート等の方向とは必ずしも一致しない。
【００１９】
図１は、本実施形態の芝生植栽構造を示す正面断面図である。
【００２０】
図１に示すように、本実施の形態に係る芝生植栽構造は、既設舗装路面１上に設けられ保水性を有する緩衝材層２と、緩衝材層２上に敷かれた人工芝カーペット３と、人工芝カーペット３上に設けられ天然芝生４を育成させるための培地層５とを備える。
【００２１】
既設舗装路面１は、駐車場のものであり、地盤６上にアスファルト又はコンクリート等の舗装を施して形成される。
【００２２】
図１及び図４に示すように、緩衝材層２は、ポリエチレン等の軟質の樹脂を発泡した発泡樹脂シート７にて形成される。発泡樹脂シート７は、厚さａを約１０ｍｍに設定されており、上下両面に溝８、９、１０、１１を有する。上面の溝８、９には、前後に延びると共に左右方向に一定の間隔で複数形成される上面前後溝８と、左右に延びると共に前後方向に一定の間隔で複数形成される上面左右溝９とがある。下面の溝１０、１１には、前後に延びると共に左右方向に一定の間隔で、かつ、上面前後溝８間に位置して形成される下面前後溝１０と、左右に延びると共に前後方向に一定の間隔で、かつ、上面左右溝９間に位置して形成される下面左右溝１１とがある。上面前後溝８、上面左右溝９、下面前後溝１０及び下面左右溝１１は、それぞれ断面矩形状に形成される。
【００２３】
上面前後溝８及び上面左右溝９は、互いに交差され、発泡樹脂シート７に吸収されずに余った過多の水を流すように機能する。下面前後溝１０及び下面左右溝１１は、互いに交差され、発泡樹脂シート７から染み出した過多の水を流すように機能する。また、上面前後溝８、上面左右溝９、下面前後溝１０及び下面左右溝１１は、発泡樹脂シート７を人工芝カーペット３上から踏まれたとき、発泡樹脂シート７の変形を吸収するように機能する。また、上面前後溝８、上面左右溝９、下面前後溝１０及び下面左右溝１１は、熱による膨張伸縮に因る寸法変化も吸収する。
【００２４】
図１、図２及び図３に示すように、人工芝カーペット３は、基布１２と、基布１２に植設された複数のパイル（芝糸）１３と、基布１２の下面に塗布されパイル１３を保持するためのバッキング材１４とを備える。基布１２は、軟質の樹脂にて形成される。パイル１３は、Ｕ字状に形成され、複数本束ねた状態で下端部１３ａを基布１２に植えられる。
【００２５】
パイル１３の長さ（基布１２から上端までの長さ）ｂは、１５０ｍｍに設定される。なお、パイル１３の長さｂは、後述する培地層の厚さｃに応じて設定されるとよい。具体的には、パイル１３の長さｂは、培地層５の厚さｃより５ｍｍ以上３０ｍｍ以下長くなるよう設定されるとよい。
【００２６】
また、パイル密度は、７，２００株／ｍ2に設定される。なお、パイル密度は、２，０００株／ｍ2以上１０，０００株／ｍ2以下に設定されてもよい。
【００２７】
また、人工芝カーペット３の基布１２及びバッキング材１４には、水を通すと共に後述する天然芝生４の根を緩衝材層２に通すための根張り穴１５が形成される。根張り穴１５は、根が通りやすいように直径及び密度を調整される。具体的には、根張り穴１５は、円形に形成されると共に直径を２ｍｍ以上８ｍｍ以下に設定される。また、根張り穴１５の密度は、１０６個／ｍ2に設定される。なお、根張り穴１５の密度は、１００個／ｍ2以上１１０，０００個／ｍ2以下に設定されてもよい。また、根張り穴１５は、円形以外（非円形）の貫通孔形状に形成しても良い。この場合、根張り穴１５の最も幅狭部分の幅の大きさを２ｍｍ以上８ｍｍ以下に形成するのが好ましい。また、基布１２は、格子状のメッシュ孔が複数形成されたメッシュ状基布で構成されてもよい。この場合、メッシュ孔が根張り穴１５として機能する。
【００２８】
培地層５は、焼砂に保水材と保肥材を混合して形成された改良土にて構成される。焼砂を用いることで培地層５内に他の植物の種子や雑菌等が混入することを防止或いは抑制できる。保水材は、ピートモス等の細粒状の有機物を主成分として形成される。保肥材は、ゼオライトにて構成される。また、培地層５の厚さｃは、４０ｍｍに設定される。
【００２９】
また、培地層５には、天然芝生４たるバミューダグラスの種子が播かれて育成される。種子は培地層５に播かれた後覆土される。これにより種子の飛散と培地層５の乾燥とが防止又は抑制される。
【００３０】
また、人工芝カーペット３及び培地層５の外周には、培地を保持するための外枠１６が設けられる。外枠１６は、複数の縁石ブロック１７で構成される。縁石ブロック１７は、人工芝カーペット３及び培地層５の外周に沿って並べられる。また、縁石ブロック１７の上面１７ａ、縁石ブロック１７の外周面（人工芝カーペット３とは反対側の面）１７ｂ及び縁石ブロック１７の上面１７ａ、外周面１７ｂ間の隅部１７ｃには、使用者を保護するための高密度人工芝カーペット１８が貼り付けられる。高密度人工芝カーペット１８のパイル密度は、人工芝カーペット３の２倍以上に設定される。
【００３１】
次に、本実施の形態に係る芝生植栽構造の形成方法について述べる。
【００３２】
まず、既設舗装路面１上に発泡樹脂シート７を平らに敷き均して緩衝材層２を形成する。このとき発泡樹脂シート７は、巻回されたものを複数平行に広げるだけであり、容易に行うことができる。
【００３３】
次に、外枠１６を形成すべく、発泡樹脂シート７の外周に沿って縁石ブロック１７を並べ、縁石ブロック１７の上面１７ａ、隅部１７ｃ及び外周面１７ｂに高密度人工芝カーペット１８を貼り付ける。このとき、高密度人工芝カーペット１８を隅部１７ｃに沿って屈曲させつつ、縁石ブロック１７の上面１７ａと外周面１７ｂに貼り付ける。
【００３４】
この後、発泡樹脂シート７上に人工芝カーペット３を平らに敷き均す。そして、予め焼砂に保水材と保肥材を混合して形成しておいた改良土を人工芝カーペット３の基布１２上に厚さ４０ｍｍで均等に充填する。
【００３５】
この後、培地層５上に天然芝生４の種子を播き、その種子の上に覆土する。また、培地の乾燥と種子の飛散をより確実に防止又は抑制するために覆土上をネット（図示せず）で覆い、十分な灌水を行う。
【００３６】
この後、天然芝生４が発芽したら、十分な灌水を行うと共に、施肥及び刈込を行い、人工芝カーペット３上に天然芝生４を育成する。
【００３７】
次に本実施の形態の作用について述べる。
【００３８】
灌水が行われた後の培地層５は水を吸収する。また、培地層５に吸収されずに余った水は、人工芝カーペット３の根張り穴１５を通って下方の緩衝材層２に流れる。緩衝材層２は発泡樹脂シート７にて形成され、発泡樹脂シート７の上面には上面前後溝８及び上面左右溝９が形成される。このため、根張り穴１５から下方に流れた水の一部は発泡樹脂シート７に吸収され、発泡樹脂シート７に吸収されなかった水は上面前後溝８、上面左右溝９、下面前後溝１０及び下面左右溝１１を通って発泡樹脂シート７の外周側に排水される。
【００３９】
また、培地層５は、時間の経過と共に表面から徐々に乾燥し始める。しかし、培地層５は４０ｍｍもの厚さに形成されるため、培地層５の下部には長時間に亘って水分が豊富に保持される。このため、天然芝生４の種子には、下方から浸み上がってくる適量の水分が常に供給される。天然芝生４の根は、水分がより豊富な下方へ向けて伸びる。
【００４０】
また、人工芝カーペット３には、根張り穴１５が形成されている。このため、根の一部は根張り穴１５を通ってさらに下方に伸びる。根張り穴１５の下方には、緩衝材層２を形成する発泡樹脂シート７が敷かれている。発泡樹脂シート７は水分と空気を適度に含む。このため、発泡樹脂シート７内の水分と空気が根に供給されることとなり、天然芝生４が良好に育成される。
【００４１】
また、発泡樹脂シート７に含まれる空気は根張り穴１５を通じて常時培地層５に供給される。具体的には、培地層５で余った水が根張り穴１５を通じて下方に流れるとき、その水と発泡樹脂シート７内の空気とが入れ替わるようにして移動され、移動された空気が培地層５内に供給される。このため、培地層５は常に空気が豊富に含まれたふかふかな状態に維持される。これにより、天然芝生４が良好に育成される。
【００４２】
また、天然芝生４が生え揃い、天然芝生４混じりの人工芝カーペット３がフットサルコート等として使用される場合、人工芝カーペット３が使用者の足などから受ける衝撃は天然芝生４、培地層５及び緩衝材層２によって吸収される。このため、使用者が運動中に足の関節等を傷めることを防止又は抑制することができる。
【００４３】
またさらに、緩衝材層２、すなわち発泡樹脂シート７は、使用者から踏まれることで若干凹み、発泡樹脂シート７に含まれる空気が発泡樹脂シート７外に放出される。この放出された空気は、根張り穴１５を通じて培地層５内に吹き込まれる。そして、使用者が移動する等により発泡樹脂シート７の形状が復帰されるとき、発泡樹脂シート７は周囲の空気を吸引する。これにより、培地層５内に吹き込まれた空気が根張り穴１５を通じて発泡樹脂シート７に吸い戻される。このため、人工芝カーペット３上でフットサル等の競技、練習等が行われることで培地層５と緩衝材層２との間で空気が循環されることとなり、培地層５が固くなることを防止又は抑制できる。
【００４４】
また、夏場であっても、天然芝生４が周辺温度の上昇を抑制する。このため、人工芝カーペット３及び人工芝カーペット３上に植栽された天然芝生４が従来の完全な人工芝のように非常に高温になることはなく、炎天下であっても競技等を行いやすくすることができる。
【００４５】
このように、既設舗装路面１上に設けられ保水性を有する緩衝材層２と、緩衝材層２上に敷かれた人工芝カーペット３と、人工芝カーペット３上に設けられ天然芝生４を育成させるための培地層５とを備え、人工芝カーペット３には、水を通すと共に天然芝生４の根を緩衝材層２に通すための根張り穴１５が形成されるものとした。このため、天然芝生４の根を緩衝材層２まで伸ばすことができると共に、緩衝材層２と培地層５との間で水及び空気を良好に流通させることができ、人工芝カーペット３上に天然芝生４を良好に育成できる。
【００４６】
根張り穴１５は、円形に形成されると共に直径を２ｍｍ以上８ｍｍ以下に設定され、或いは非円形に形成されると共に最も幅狭部分の幅の大きさを２ｍｍ以上、８ｍｍ以下に設定されるものとしたため、天然芝生４の根を良好に通すことができる。
【００４７】
根張り穴１５の密度は、１００個／ｍ2以上１１０，０００個／ｍ2以下に設定されるものとしたため、天然芝生４の根を良好に通すことができると共に十分な量の根を通すことができる。
【００４８】
緩衝材層２は、発泡樹脂シート７にて形成されるものとしたため、水分と空気を給排可能に含むことができると共に、十分な量を含むことができる。そして、天然芝生４の根に水分と空気を供給できる。
【００４９】
発泡樹脂シート７の上面には、過多の水を流すための溝が形成されるため、発泡樹脂シート７の水はけを良好にできると共に、発泡樹脂シート７に空気を十分に含ませることができる。
【００５０】
人工芝カーペット３のパイル密度は、２，０００株／ｍ2以上１０，０００株／ｍ2以下に設定されるため、パイル１３間に天然芝生４を良好に育成させることができる。
【００５１】
また、人工芝カーペット３の外周には、培地層５を保持するための外枠１６が設けられ、外枠１６の上面１７ａ、隅部１７ｃ及び外周面１７ｂには、使用者を保護するための高密度人工芝カーペット１８が貼り付けられる。このため、外枠１６にクッション性を持たせることができ、使用者が踏んだときの安全性を高めることができると共に、美観を高めることができる。
【００５２】
人工芝カーペット３のパイル長さは、培地層５の厚さｃより５ｍｍ以上３０ｍｍ以下長くなるように設定されるため、天然芝生４をパイル１３の高さに揃えるように刈ったとき、天然芝生４の成長点よりも上方を刈ることができ、天然芝生４を良好に維持管理できる。そして、パイル１３と天然芝生４を調和させることができる。
【００５３】
なお、上記した各数値は、フットサルコートを設置する場合の具体例を示したものであり、適宜変更可能である。
【００５４】
以上、本発明の実施形態を詳細に述べたが、本発明は以下のような他の実施形態も可能である。
【００５５】
（１）緩衝材層２は発泡樹脂シート７で形成されるものとしたが、保水性を有するものであれば他の材料で形成されるものであってもよい。
【００５６】
（２）緩衝材層２の厚さは、１０ｍｍに設定されるものとしたが、設置されるコートの種類に応じたボールバウンドやプレイアビリティー等に応じて調整されてもよい。
【００５７】
（３）緩衝材層２を形成する発泡樹脂シート７の上下両面には、それぞれ格子状に溝８、９、１０、１１が形成されるものとしたが、発泡樹脂シートの排水性、保水性、硬さ等を調整するために溝の配置、形状等は適宜変更されてもよい。例えば溝は蛇行して形成されてもよく、上面又は下面のいずれか一方にのみ形成されるものとしてもよい。
【００５８】
（４）培地層５の厚さは４０ｍｍに設定されるものとしたが、これに限るものではない。培地層の厚さは、４０ｍｍ以上７０ｍｍ以下であってもよい。培地層の厚さが７０ｍｍの場合、ラグビーコートやサッカーコート、野球グラウンドなどのより過酷なスポーツ用途に対応できる。
【００５９】
前述の各実施形態の構成は、特に矛盾が無い限り、部分的にまたは全体的に組み合わせることが可能である。本発明の実施形態は前述の実施形態のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。
【符号の説明】
【００６０】
１  既設舗装路面
２  緩衝材層
３  人工芝カーペット
４  天然芝生
５  培地層
１５  根張り穴
【図１】
2019078067.tif 000003
【図２】
2019078067.tif 000004
【図３】
2019078067.tif 000005
【図４】
2019078067.tif 000006